(57)【要約】  本発明のプロジェクタは、画像信号に基づき、画像を投射面に投射するプロジェクタであって、前記画像信号による画像を複数の画像領域に分割し、所定の時間間隔ごとに順次切り替えられる前記複数の画像領域の１つについてのみ画像が投射され、該画像が投射される画像領域以外をマスクする映像信号を出力する画像処理部と、現在画像が投射されている画像領域について映像信号による画像を合焦させる合焦部と、を有する。
2011039837.tif 000002
【特許請求の範囲】
【請求項１】
画像信号に基づき、画像を投射面に投射するプロジェクタであって、
前記画像信号による画像を複数の画像領域に分割し、所定の時間間隔ごとに順次切り替えられる前記複数の画像領域の１つについてのみ画像が投射され、該画像が投射される画像領域以外をマスクする映像信号を出力する画像処理部と、
現在画像が投射されている画像領域について映像信号による画像を合焦させる合焦部と、を有するプロジェクタ。
【請求項２】
前記画像処理部は、
前記投射面に対して垂直方向の斜め投射が行われる場合、前記画像を垂直方向に複数の画像領域に分割する、請求項１に記載のプロジェクタ。
【請求項３】
前記画像処理部は、
前記投射面に対して水平方向の斜め投射が行われる場合、前記画像を水平方向に複数の画像領域に分割する、請求項１または２に記載のプロジェクタ。
【請求項４】
前記所定の時間間隔ごとに切り替えられる１つの画像領域以外をマスクする前記映像信号は、
前記所定の時間間隔ごとに切り替えられる１つの画像領域に投射される画像よりも輝度が低い画像を、該画像領域以外に投射する映像信号である、請求項１から３のいずれか１項に記載のプロジェクタ。
【請求項５】
前記所定の時間間隔は、
前記画像の１フレームの表示時間である、請求項１から４のいずれか１項に記載のプロジェクタ。
【請求項６】
前記映像信号による画像を前記投射面に投射するレンズと、
前記レンズの周囲に配置され、前記複数の画像領域ごとに、該配置位置から前記投射面上の該画像領域に含まれる所定の地点までの距離を測定する測距センサーと、
前記測距センサーにより測定された距離を隔てて前記投射面に投射される画像が合焦する前記レンズの位置を格納する格納部と、をさらに有し、
前記合焦部は、
前記レンズの位置を、前記測距センサーにより測定された、前記配置位置から、前記所定の時間間隔ごとに切り替えられる１つの画像領域に含まれる前記所定の地点までの距離を隔てて前記投射面に投射される画像が合焦する位置に調整する、請求項１から５のいずれか１項に記載のプロジェクタ。
【請求項７】
画像信号に基づき、画像を投射面に投射するプロジェクタに適用される画像処理方法であって、
前記画像信号による画像を複数の画像領域に分割し、所定の時間間隔ごとに順次切り替えられる前記複数の画像領域の１つについてのみ画像が投射され、該画像が投射される画像領域以外をマスクする映像信号を出力し、
現在画像が投射されている画像領域について映像信号による画像を合焦させる、画像処理方法。
【請求項８】
前記投射面に対して垂直方向の斜め投射が行われる場合、前記画像を垂直方向に複数の画像領域に分割する、請求項７に記載の画像処理方法。
【請求項９】
前記投射面に対して水平方向の斜め投射が行われる場合、前記画像を水平方向に複数の画像領域に分割する、請求項７または８に記載の画像処理方法。
【請求項１０】
前記所定の時間間隔ごとに切り替えられる１つの画像領域以外をマスクする前記映像信号は、
前記所定の時間間隔ごとに切り替えられる１つの画像領域に投射される画像よりも輝度が低い画像を、該画像領域以外に投射する映像信号である、請求項７から９のいずれか１項に記載の画像処理方法。
【請求項１１】
前記所定の時間間隔は、
前記画像の１フレームの表示時間である、請求項７から１０のいずれか１項に記載の画像処理方法。
【請求項１２】
前記プロジェクタは、
前記映像信号による画像を前記投射面に投射するレンズと、
前記レンズの周囲に配置され、前記複数の画像領域ごとに、該配置位置から前記投射面上の該画像領域に含まれる所定の地点までの距離を測定する測距センサーと、を有し、
前記測定された距離を隔てて前記投射面に投射される画像が合焦する前記レンズの位置を格納し、
前記レンズの位置を、前記測定された、前記配置位置から、前記所定の時間間隔ごとに切り替えられる１つの画像領域に含まれる前記所定の地点までの距離を隔てて前記投射面に投射される画像が合焦する位置に調整する、請求項７から１１のいずれか１項に記載の画像処理方法。
【発明の詳細な説明】
【技術分野】
【０００１】
本発明は、投射面に画像を投射するプロジェクタおよび画像処理方法に関する。
【背景技術】
【０００２】
プロジェクタを用いて投射面に画像を投射する場合、図１Ａに示すように、投射面２００に対してプロジェクタ１０が正対する位置から投射が行われるだけでなく、図１Ｂに示すように、投射面２００に対してプロジェクタ１０が斜め方向の位置から投射が行われることがある。【０００３】
なお、以下の説明では、投射面２００に対してプロジェクタ１０が正対する位置から投射が行われる状態を通常投射と称する。また、投射面２００に対してプロジェクタ１０が斜め方向の位置から投射が行われる状態を斜め投射と称する。【０００４】
斜め投射の場合、プロジェクタ１０から、投射面２００上に投射される画像（以下、投射画像と称する）の上端点までの距離と、投射画像の下端点までの距離との差は、通常投射の場合よりも大きくなる。【０００５】
特許文献１には、斜め投射が行われた場合に、投射画像を合焦するプロジェクタが記載されている。【０００６】
特許文献１に記載のプロジェクタは、特許文献１の図４に記載のように、投射する画像を表示する表示部の表示面と、表示部に表示された画像を拡大して投射するレンズの主面と、投射面と、が１箇所で交わるように表示部の傾きを調整することで、斜め投射が行われる場合にも投射画像の合焦を行う。
【先行技術文献】
【特許文献】
【０００７】
【特許文献１】特開２００６−３５２５１４号公報
【発明の概要】
【発明が解決しようとする課題】
【０００８】
一般に、レンズには、投射面２００の手前側および奥側に、投射画像が合焦して見える幅（被写界深度）がある。【０００９】
従って、斜め投射の場合のように、プロジェクタ１０から投射画像の上端点および下端点までの距離の差が大きいと、例えば、プロジェクタ１０から、下端点までの距離は、被写界深度の幅の範囲内に入るが、上端点までの距離は、被写界深度の幅の範囲から外れるということがある。【００１０】
この場合、特許文献１に記載のプロジェクタでは、表示部の傾きを調整するだけなので、レンズの被写界深度の幅を超えて投射される画像は合焦していない不明瞭な画像となり、投射画像の品質が低下するという課題がある。【００１１】
本発明の目的は、被写界深度の幅を超えて斜め投射が行われる場合にも、不明瞭な画像が投射されるのを防ぎ、投射画像の品質の低下を抑制することができるプロジェクタおよび画像処理方法を提供することにある。
【課題を解決するための手段】
【００１２】
上記目的を達成するために本発明のプロジェクタは、
画像信号に基づき、画像を投射面に投射するプロジェクタであって、
前記画像信号による画像を複数の画像領域に分割し、所定の時間間隔ごとに順次切り替えられる前記複数の画像領域の１つについてのみ画像が投射され、該画像が投射される画像領域以外をマスクする映像信号を出力する画像処理部と、
現在画像が投射されている画像領域について映像信号による画像を合焦させる合焦部と、を有する。【００１３】
上記目的を達成するために本発明の画像処理方法は、
画像信号に基づき、画像を投射面に投射するプロジェクタに適用される画像処理方法であって、
前記画像信号による画像を複数の画像領域に分割し、所定の時間間隔ごとに順次切り替えられる前記複数の画像領域の１つについてのみ画像が投射され、該画像が投射される画像領域以外をマスクする映像信号を出力し、
現在画像が投射されている画像領域について映像信号による画像を合焦させる。
【発明の効果】
【００１４】
本発明によれば、プロジェクタは、画像信号による画像を複数の画像領域に分割し、所定の時間間隔ごとに順次切り替えられる画像領域の１つについてのみ画像が投射され、画像が投射される画像領域以外についてはマスクされた映像信号を出力し、現在画像が投射されている画像領域について映像信号による画像を合焦させる。【００１５】
そのため、合焦していない不明瞭な投射画像が投射面に投射されることを防ぎ、投射画像の品質が低下するのを抑制することができる。
【図面の簡単な説明】
【００１６】
【図１Ａ】通常投射の状態を示す図である。
【図１Ｂ】斜め投射の状態を示す図である。
【図２】本発明の一実施形態のプロジェクタの構成を示すブロック図である。
【図３】図２に示すレンズ部の構成を示す図である。
【図４】図２に示す測距センサーによる測距を説明するための図である。
【図５】図２に示すプロジェクタの動作を示すフローチャートである。
【図６】画像領域の分割の一例を示す図である。
【図７】図２に示す格納部に格納される、投射面までの距離と、投射画像が合焦するレンズ位置となるまでにステッピングモーターに入力されるパルス数との関係を示す図である。
【図８】被写界深度の幅を説明するための図である。
【図９】図２に示すレンズ位置調整部により行われるステップＳ３０８の処理を模式的に示した図である。
【図１０】図２に示すプロジェクタにより投射面に投射される投射画像の一例を示す図である。
【発明を実施するための形態】
【００１７】
以下に、本発明を実施するための形態について図面を参照して説明する。
【００１８】
図２は、本発明の一実施形態のプロジェクタ１００の構成を示すブロックである。
【００１９】
図２に示すプロジェクタ１００は、レンズ部１１０と、測距センサー１２０Ａ，１２０Ｂと、ＡＤＣ（Ａｎａｌｏｇ  Ｄｉｇｉｔａｌ  Ｃｏｎｖｅｒｔｅｒ）１３０と、格納部１４０と、レンズ位置調整部１５０と、ステッピングモーター駆動部１６０と、画像処理部１７０と、ＬＣＤ駆動部１８０と、ＬＣＤ（Ｌｉｑｕｉｄ  Ｃｒｙｓｔａｌ  Ｄｉｓｐｌａｙ）１９０と、を有する。
【００２０】
なお、レンズ位置調整部１５０は、合焦部の一例である。
【００２１】
また、測距センサー１２０Ａ，１２０Ｂを特定しない場合には、測距センサー１２０と称する。
【００２２】
レンズ部１１０は、後述するＬＣＤ１９０に表示される画像を投射面２００に拡大して投射する。
【００２３】
図３は、レンズ部１１０の構成を示す図である。
【００２４】
図３に示すレンズ部１１０は、ステッピングモーター１１１と、レンズ１１２と、を有する。
【００２５】
ステッピングモーター１１１は、パルス信号が入力されるたびに一定角度ずつ回転する。
【００２６】
レンズ１１２は、ステッピングモーター１１１が回転することにより光軸方向に移動する。レンズ１１２を移動させることにより、投射画像の焦点を調整することができる。
【００２７】
測距センサー１２０は、レンズ部１１０の周囲に配置され、図４に示すように、その配置位置から、投射面２００上の投射画像が投射される画像領域２１０の測距ポイントＡ，Ｂまでの距離を測定する。
【００２８】
図４の例では、測距センサー１２０Ａは、測距ポイントＡまでの距離を測定し、測距センサー１２０Ｂは、測距ポイントＢまでの距離を測定する。
【００２９】
なお、１つの測距センサー１２０Ａまたは測距センサー１２０により、各測距ポイントまでの距離を求めるようにしてもよい。
【００３０】
また、各測距ポイントまでの距離は、例えば、投射面２００上の各測距ポイントに向けて赤外線を発光し、その反射光をＰＳＤ（Ｐｏｓｉｔｉｏｎ  Ｓｅｎｓｉｔｉｖｅ  Ｄｅｔｅｃｔｏｒ：位置検出素子）で受光することで測定することができる。
【００３１】
そして、測距センサー１２０は、測定した距離の測定値をＡＤＣ１３０に出力する。
【００３２】
ＡＤＣ１３０は、測距センサー１２０から出力された測定値をアナログ／デジタル変換して、レンズ位置調整部１５０に出力する。
【００３３】
格納部１４０は、予め測定された、投射面までの距離と、その距離で基準位置から投射画像が合焦する位置までレンズ１１２が移動するためにステッピングモーター１１１に入力が必要なパルス信号の数（パルス数）と、の関係を格納する。
【００３４】
レンズ位置調整部１５０は、レンズ１１２が基準位置から何パルス数分移動した位置にあるかを常に管理する。
【００３５】
また、レンズ位置調整部１５０は、ＡＤＣ１３０から出力された、測距センサー１２０の配置位置から投射面２００上の測距ポイントＡ，Ｂまでの距離に対応するパルス数を、格納部１４０に格納された関係に基づき、それぞれ求める。
【００３６】
そして、レンズ位置調整部１５０は、所定の時間間隔ごとに、測距センサー１２０の配置位置から測距ポイントＡ、または、測距ポイントＢまでの距離で合焦する位置までレンズ１１２が移動するのに必要なパルス数を、ステッピングモーター駆動部１６０に出力する。
【００３７】
また、レンズ位置調整部１５０は、ステッピングモーター駆動部１６０に出力したパルス数により合焦する測距ポイントを画像処理部１７０に通知する。
【００３８】
ステッピングモーター駆動部１６０は、レンズ位置調整部１５０から出力されたパルス数分のパルス信号をステッピングモーター１１１に出力する。
【００３９】
画像処理部１７０は、投射を行う画像の画像信号と、その画像の１フレームの表示期間を示す同期信号とが、外部から入力される。
【００４０】
そして、画像処理部１７０は、ＬＣＤ１９０を駆動する映像信号を生成し、生成した映像信号と同期信号とをＬＣＤ駆動部１８０に出力する。
【００４１】
なお、斜め投射の場合、図４に示すように、投射画像には台形歪みが生じる。そこで、画像処理部１７０は、台形歪みを補正した映像信号を生成する。
【００４２】
また、画像処理部１７０は、同期信号をレンズ位置調整部１５０に出力する。
【００４３】
ＬＣＤ駆動部１８０は、画像処理部１７０から出力された映像信号と同期信号とに基づき、ＬＣＤ１９０を駆動する。
【００４４】
ＬＣＤ１９０は、ＬＣＤ駆動部１８０により駆動されることで画像を表示する。
【００４５】
そして、レンズ部１１０によりＬＣＤ１９０に表示された画像が拡大されて、投射面２００に投射される。
【００４６】
次に、プロジェクタ１００の動作について説明する。
【００４７】
図５は、プロジェクタ１００の動作を示すフローチャートである。
【００４８】
なお、以下では、図１Ｂに示すように、投射面２００に対して、垂直方向下側から斜め投射が行われる例を説明する。
【００４９】
まず、プロジェクタ１００の電源が投入され、起動を開始すると、ステッピングモーター１１１は、基準位置に移動し、待機した状態となる。
【００５０】
レンズ位置調整部１５０は、レンズ１１２が基準位置からの何パルス数分だけ移動した位置にあるかを管理する。この基準位置からのパルス数を「ｘ」とする。
【００５１】
画像処理部１７０は、ＬＣＤ駆動部１８０によりＬＣＤ１９０を駆動させ、投射面２００への投射を行う。
【００５２】
次に、画像処理部１７０は、図６に示すように、画像領域２１０を垂直方向に上下２つの画像領域２１０Ａ，２１０Ｂに分割し、各画像領域２１０Ａ，２１０Ｂ内に含まれる測距ポイントＡ，Ｂを決定する。
【００５３】
なお、測距ポイントＡ，Ｂは、それぞれ画像領域２１０Ａ，２１０Ｂの中心点とするのが望ましい。
【００５４】
そして、画像処理部１７０は、測距ポイントＡの位置を測距センサー１２０Ａに、測距ポイントＢの位置を測距センサー１２０Ｂに、それぞれ通知する。
【００５５】
測距センサー１２０Ａは、配置位置から通知された測距ポイントＡまでの距離「ａ」を測定する（ステップＳ３０１）。
【００５６】
測距センサー１２０Ｂは、配置位置から通知された測距ポイントＢまでの距離「ｂ」を測定する（ステップＳ３０２）。
【００５７】
レンズ位置調整部１５０は、測距センサー１２０Ａ，１２０Ｂによりそれぞれ測定された、距離「ａ」と距離「ｂ」との距離差「ｃ」を計算する（ステップＳ３０３）。
【００５８】
画像処理部１７０は、外部から画像信号と同期信号とが入力されると、画像領域２１０Ａ，２１０Ｂについて、映像信号として黒信号を出力している場合には、その出力を解除する（ステップＳ３０４）。
【００５９】
レンズ位置調整部１５０は、距離「ａ」に対応する、基準位置から投射画像が合焦する位置までレンズ１１２が移動するためにステッピングモーター１１１に入力が必要なパルス数「ｅ」を求める。
【００６０】
ここで、格納部１４０には、図７に示すように、測距センサー１２０により測定された投射面までの距離と、その距離で基準位置から投射画像が合焦する位置までレンズ１１２が移動するためにステッピングモーター１１１に入力が必要なパルス数との関係が格納されている。
【００６１】
従って、レンズ位置調整部１５０は、格納部１４０に格納された関係に基づき、距離「ａ」に対応するパルス数「ｅ」を求めることができる。
【００６２】
次に、レンズ位置調整部１５０は、パルス数「ｅ」と、管理しているパルス数「ｘ」とのパルス数の差「ｆ」を求める（ステップＳ３０６）。
【００６３】
そして、レンズ位置調整部１５０は、ステッピングモーター駆動部１６０にパルス数「ｆ」を出力し、ステッピングモーター駆動部１６０は、ステッピングモーター１１１にパルス数「ｆ」だけパルス信号を入力する。
【００６４】
ステッピングモーター１１１は、入力されたパルス信号の数「ｆ」分だけ回転し、レンズ１１２を移動させる（ステップＳ３０７）。
【００６５】
次に、レンズ位置調整部１５０は、ステップＳ３０３で計算した距離差「ｃ」が、通常投射時における距離「ａ」と距離「ｂ」との距離差「ｄ」と、測距センサー１２０により測定された距離「ａ」と距離「ｂ」との中間の距離における被写界深度の幅「ｎ」の和よりも大きいか否かを判定する（ステップＳ３０８）。
【００６６】
ここで、距離差「ｄ」および被写界深度の幅「ｎ」は予め測定され、レンズ位置調整部１５０に格納されている。
【００６７】
なお、被写界深度の幅「ｎ」は、投射面までの距離により定まるので、予め測定により求めることができる。
【００６８】
ここで、図８に示すように、被写界深度の幅を超えて斜め投射が行われると、被写界深度の幅を超える範囲の投射画像は、焦点の合っていない不明瞭なものとなる。
【００６９】
従って、ステップＳ３０８の処理により、レンズ位置調整部１５０は、被写界深度の幅を超えた斜め投射が行われ、焦点が合っていない投射画像が投射されているか否かを判定することができる。
【００７０】
距離差「ｃ」が、距離差「ｄ」と被写界深度の幅「ｎ」との和以下の場合（ステップＳ３０８：ＮＯ）、投射画像は合焦しているので、プロジェクタ１００は、何らかのトリガーが入力されるまで待機状態となる（ステップＳ３０９）。
【００７１】
なお、入力されるトリガーの例として、所定時間の経過がある。この場合、所定時間が経過するたびに、プロジェクタ１００は、ステップＳ３０１から処理を開始する。
【００７２】
また、入力されるトリガーの例として、プロジェクタ１００の移動の検出がある。この場合、例えば、プロジェクタ１００に加速度センサーを搭載し、その加速度センサーによりプロジェクタ１００の移動が検出されると、プロジェクタ１００は、ステップＳ３０１から処理を開始する。
【００７３】
一方、図９に示すように、距離差「ｃ」が、距離差「ｄ」と被写界深度の幅「ｎ」との和より大きい場合（ステップＳ３０８：ＹＥＳ）、レンズ位置調整部１５０は、被写界深度の幅「ｎ」を超えた投射が行われ、焦点が合っていない投射画像が投射されていると判定する。
【００７４】
そして、レンズ位置調整部１５０は、格納部１４０に格納された関係に基づき、距離「ｂ」に対応する、基準位置から投射画像が合焦する位置までレンズ１１２が移動するためにステッピングモーター１１１に入力が必要なパルス数「ｇ」を求める（ステップＳ３１０）。
【００７５】
次に、レンズ位置調整部１５０は、パルス数「ｅ」とパルス数「ｇ」とのパルス数の差「ｈ」を求める（ステップＳ３１１）。
【００７６】
そして、レンズ位置調整部１５０は、測距ポイントＢで合焦するようにレンズ１１２の位置を調整する旨を画像処理部１７０に通知する。
【００７７】
画像処理部１７０は、レンズ位置調整部１５０からの通知を受けると、画像領域２１０Ａについて、画像領域２１０Ａに投射される画像をマスクする黒信号を映像信号としてＬＣＤ駆動部１８０に出力する（ステップＳ３１２）。
【００７８】
また、レンズ位置調整部１５０は、ステッピングモーター駆動部１６０にパルス数「ｈ」を出力し、ステッピングモーター駆動部１６０は、ステッピングモーター１１１にパルス数「ｈ」だけパルス信号を入力する。
【００７９】
ステッピングモーター１１１は、入力されたパルス信号の数「ｈ」分だけ回転し、レンズ１１２を移動させる（ステップＳ３１３）。
【００８０】
１フレームの表示期間の経過後、レンズ位置調整部１５０は、測距ポイントＡで合焦するようにレンズ１１２の位置を調整する旨を画像処理部１７０に通知する。
【００８１】
なお、レンズ位置調整部１５０は、画像処理部１７０から出力された同期信号に基づき、１フレームの表示期間を特定することができる。
【００８２】
そして、画像処理部１７０は、レンズ位置調整部１５０からの通知を受けると、画像領域２１０Ｂについて、画像領域２１０Ｂに投射される画像をマスクする黒信号を映像信号としてＬＣＤ駆動部１８０に出力する。
【００８３】
また、画像処理部１７０は、画像領域２１０Ａについて、黒信号の出力を解除し、画像を投射する映像信号をＬＣＤ駆動部１８０に出力する（ステップＳ３１４）。
【００８４】
また、レンズ位置調整部１５０は、ステッピングモーター駆動部１６０にパルス数「−ｈ」を出力し、ステッピングモーター駆動部１６０は、ステッピングモーター１１１にパルス数「ｈ」だけパルス信号を入力する。
【００８５】
ステッピングモーター１１１は、ステップＳ３１３とは逆方向に、入力されたパルス信号の数「ｈ」だけ回転し、レンズ１１２を移動させる（ステップＳ３１５）。
【００８６】
そして、図１０に示すように、ステップＳ３１２からＳ３１５までの処理を１フレームごとに繰り返すことで、画像領域２１０Ａ，２１０Ｂに交互に、常に、合焦した投射画像が投射される。
【００８７】
このように本実施形態によれば、プロジェクタ１００は、所定の時間間隔ごとに、画像領域２１０Ａと画像領域２１０Ｂとを順次切り替えて、画像領域２１０Ａまたは画像領域２１０Ｂのいずれか一方についてのみ画像が投射され、他方の画像領域をマスクする映像信号を出力する。
【００８８】
そのため、合焦していない不明瞭な投射画像が投射されることを防ぎ、投射画像の品質が低下するのを抑制することができる。
【００８９】
なお、本実施形態では、レンズ位置調整部１５０が、測距ポイントＡまたは測距ポイントＢで合焦するようにレンズ１１２の位置を調整する旨を画像処理部１７０に通知し、画像処理部１７０は、その通知を受けて、画像を投射する画像領域の切り替えを行う例を説明したが、これに限られるものではない。
【００９０】
画像処理部１７０が、画像が投射される画像領域を順次切り替え、レンズ位置調整部１５０は、その切り替えに応じて、画像が投射される画像領域について映像信号による画像を合焦させるように、レンズ１１２の位置を調整するようにしてもよい。
【００９１】
また、本実施形態では、投射面２００に対してプロジェクタ１００が正対する位置から垂直方向に上下にずれた位置から、垂直方向の斜め投射が行われる場合に、画像領域２１０を上下に２つの画像領域２１０Ａ，２１０Ｂに分割する例を説明したが、これに限られるものではなく、画像領域２１０を水平方向に左右２つの領域に分割したり、上下左右４つの領域に分割したりするようにしてもよい。
【００９２】
なお、画像領域２１０をどのように分割するかは、プロジェクタ１００の使用者が設定したり、プロジェクタ１００に傾きを検出するセンサーを搭載し、検出した傾きに応じて設定したりすることができる。
【００９３】
画像領域２１０を左右に分割することで、投射面２００に対してプロジェクタ１００が正対する位置から水平方向に左右にずれた位置から、水平方向の斜め投射が行われる場合にも、分割した画像領域に、順次合焦した画像を投射することができる。
【００９４】
また、画像領域２１０を上下左右に分割することにより、投射面２００に対して垂直方向および水平方向の斜め投射が行われる場合や、投射面２００が球面や円柱状である場合にも、分割した画像領域に、順次合焦した画像を投射することができる。
【００９５】
なお、投射面２００が球面や円柱状である場合には、画像処理部１７０により、映像信号の幾何学補正が行われる。
【００９６】
また、本実施形態では、画像処理部１７０は、画像が投射される画像投射領域以外の画像領域２１０について、黒信号を映像信号として出力する例を説明したが、これに限られるものではない。
【００９７】
例えば、画像処理部１７０は、黒信号の代わりに、投射される画像が合焦される画像領域２１０に投射される投射される投射画像よりも輝度の低い画像を投射する映像信号を出力するようにしてもよい。
【００９８】
黒信号を出力すると、投射画像の輝度は半減する。しかし、黒信号の変わりに輝度の低い画像を投射する映像信号を出力することで、投射画像の輝度の低下の影響を軽減することができる。
【００９９】
また、一般に、人間の目は、より輝度の高い画像に強く反応するため、輝度の低い投射画像が合焦していなくても、それによる投射画像の品質への影響は少ない。
【０１００】
また、本実施形態では、各画像領域２１０Ａ，２１０Ｂに投射される画像は、１フレームごとにマスクされるので、動画像の投射が行われる場合には、動きの滑らかな画像が投射されない可能性があるという問題が生じる。また、マスクされる場合と、マスクされない場合とで、１フレームごとの投射画像の輝度差が大きいと、投射画像にフリッカが生じる可能性があるという問題が生じる。
【０１０１】
このような場合、同期信号により示される１フレームの表示期間をよりも短い間隔で、投射画像の切り替えを行うことにより、上述した問題が生じるのを防ぐことができる。
【０１０２】
以上、実施形態を参照して本願発明を説明したが、本発明は上記実施形態に限定されるものではない。本願発明の構成や詳細には、本願発明のスコープ内で当業者が理解し得る様々な変更をすることができる。
【図１Ａ】
2011039837.tif 000003
【図１Ｂ】
2011039837.tif 000004
【図２】
2011039837.tif 000005
【図３】
2011039837.tif 000006
【図４】
2011039837.tif 000007
【図５】
2011039837.tif 000008
【図６】
2011039837.tif 000009
【図７】
2011039837.tif 000010
【図８】
2011039837.tif 000011
【図９】
2011039837.tif 000012
【図１０】
2011039837.tif 000013
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
画像信号に基づき、画像を投射面に投射するプロジェクタであって、
前記画像信号による画像を複数の画像領域に分割し、所定の時間間隔ごとに順次切り替えられる前記複数の画像領域の１つについてのみ画像が投射され、該画像が投射される画像領域以外をマスクする映像信号を出力する画像処理部と、
現在画像が投射されている画像領域について映像信号による画像を合焦させる合焦部と、を有するプロジェクタ。
【請求項２】
前記画像処理部は、
前記投射面に対して垂直方向の斜め投射が行われる場合、前記画像を垂直方向に複数の画像領域に分割する、請求項１に記載のプロジェクタ。
【請求項３】
前記画像処理部は、
前記投射面に対して水平方向の斜め投射が行われる場合、前記画像を水平方向に複数の画像領域に分割する、請求項１または２に記載のプロジェクタ。
【請求項４】
前記所定の時間間隔ごとに切り替えられる１つの画像領域以外をマスクする前記映像信号は、
前記所定の時間間隔ごとに切り替えられる１つの画像領域に投射される画像よりも輝度が低い画像を、該画像領域以外に投射する映像信号である、請求項１から３のいずれか１項に記載のプロジェクタ。
【請求項５】
前記映像信号による画像を前記投射面に投射するレンズと、
前記レンズの周囲に配置され、前記複数の画像領域ごとに、該配置位置から前記投射面上の該画像領域に含まれる所定の地点までの距離を測定する測距センサーと、
前記測距センサーにより測定された距離を隔てて前記投射面に投射される画像が合焦する前記レンズの位置を格納する格納部と、をさらに有し、
前記合焦部は、
前記レンズの位置を、前記測距センサーにより測定された、前記配置位置から、前記所定の時間間隔ごとに切り替えられる１つの画像領域に含まれる前記所定の地点までの距離を隔てて前記投射面に投射される画像が合焦する位置に調整する、請求項１から４のいずれか１項に記載のプロジェクタ。
【請求項６】
画像信号に基づき、画像を投射面に投射するプロジェクタに適用される画像処理方法であって、
前記画像信号による画像を複数の画像領域に分割し、所定の時間間隔ごとに順次切り替えられる前記複数の画像領域の１つについてのみ画像が投射され、該画像が投射される画像領域以外をマスクする映像信号を出力し、
現在画像が投射されている画像領域について映像信号による画像を合焦させる、画像処理方法。
【請求項７】
前記投射面に対して垂直方向の斜め投射が行われる場合、前記画像を垂直方向に複数の画像領域に分割する、請求項６に記載の画像処理方法。
【請求項８】
前記投射面に対して水平方向の斜め投射が行われる場合、前記画像を水平方向に複数の画像領域に分割する、請求項６または７に記載の画像処理方法。
【請求項９】
前記所定の時間間隔ごとに切り替えられる１つの画像領域以外をマスクする前記映像信号は、
前記所定の時間間隔ごとに切り替えられる１つの画像領域に投射される画像よりも輝度が低い画像を、該画像領域以外に投射する映像信号である、請求項６から８のいずれか１項に記載の画像処理方法。
【請求項１０】
前記プロジェクタは、
前記映像信号による画像を前記投射面に投射するレンズと、
前記レンズの周囲に配置され、前記複数の画像領域ごとに、該配置位置から前記投射面上の該画像領域に含まれる所定の地点までの距離を測定する測距センサーと、を有し、
前記測定された距離を隔てて前記投射面に投射される画像が合焦する前記レンズの位置を格納し、
前記レンズの位置を、前記測定された、前記配置位置から、前記所定の時間間隔ごとに切り替えられる１つの画像領域に含まれる前記所定の地点までの距離を隔てて前記投射面に投射される画像が合焦する位置に調整する、請求項６から９のいずれか１項に記載の画像処理方法。
【国際調査報告】
2011039837.tif 000014
2011039837.tif 000015
2011039837.tif 000016